(57)【特許請求の範囲】
【請求項１】
室内空間を間仕切るための可動式間仕切壁（６・７）であって、下部に移動輪としてのキャスター（２２）を配し、端面には係止溝（４１）を有する蝶番ガイド（４０）を配設した二枚の壁体を、該蝶番ガイド（４０）の係止溝（４１）に少なくとも一点の回動点を有する連結具（３０）を挿入することで連結し、該連結具（３０）により二枚の壁体を折れ曲がり自在に連結可能とし、該連結具（３０）は、前記蝶番ガイド（４０）に係止する一対の連結プレート（３３）と、一対の蝶番プレート（３２）を、それぞれ回動ピン（３４）で連結した三点回動式連結金具（３１）としたことを特徴とする間仕切壁。
【請求項２】
請求項１記載の間仕切壁において、前記蝶番ガイド（４０）は、係止溝（４１）の下端を塞ぎ、該蝶番ガイド（４０）の係止溝（４１）に対して、前記蝶番プレート（３２）を上下に摺動可能に係止したことを特徴とする間仕切壁。
【発明の詳細な説明】
【０００１】
【発明の属する技術分野】
本発明は、間仕切壁の連結具に関する。
【０００２】
【従来の技術】
従来の間仕切壁の施工においては、たとえば、壁パネルを床及び天井にビス打ちされたランナーやレールに立てこむという形態がとられていた。該壁パネルは、設置を容易とするために簡易的に構成するものであって、単に木製又は樹脂製の板体を張り合わせる等のものであって、作り付けの壁（建築壁）と比べて質感及び遮音性が乏しいものであった。さらに、間仕切りを変更する際には、必然的にランナーやレールを取り外すこととなり、取り外した後は、ビス跡等が残ってしまい、内装を痛めてしまうことがあったのである。そして、壁パネルの配置は、ランナーやレールの配置によって限定されてしまうため、間仕切りの構成の自由度が少なかったのである。上記作業は、入念な大工工事によらなければ精度のよい立てつけが出来ず、居住者が簡単に出来るものではなかったのである。また、壁体を移動させる際には、持ち上げて移動させるため、作業者の負担となるものであった。
【０００３】
【発明が解決しようとする課題】
従来技術の不具合点に鑑みて、本発明は、ランナーやレールを床及び天井に取り付けることなく、居住者が簡単に間仕切壁の変更を行えることを提案するものである。すなわち、移動輪を配した壁体同士を連結具により連結することにより、自由な配置が行える可動式間仕切壁を提案するものである。
【０００４】
【課題を解決するための手段】
本発明の解決しようとする課題は以上のごとくであり、次に該課題を解決する為の手段を説明する。
【０００５】
請求項１においては、室内空間を間仕切るための可動式間仕切壁（６・７）であって、下部に移動輪としてのキャスター（２２）を配し、端面には係止溝（４１）を有する蝶番ガイド（４０）を配設した二枚の壁体を、該蝶番ガイド（４０）の係止溝（４１）に少なくとも一点の回動点を有する連結具（３０）を挿入することで連結し、該連結具（３０）により二枚の壁体を折れ曲がり自在に連結可能とし、該連結具（３０）は、前記蝶番ガイド（４０）に係止する一対の連結プレート（３３）と、一対の蝶番プレート（３２）を、それぞれ回動ピン（３４）で連結した三点回動式連結金具（３１）としたものである。
【０００６】
請求項２においては、請求項１記載の間仕切壁において、前記蝶番ガイド（４０）は、係止溝（４１）の下端を塞ぎ、該蝶番ガイド（４０）の係止溝（４１）に対して、前記蝶番プレート（３２）を上下に摺動可能に係止したものである。
【０００７】
【発明の実施の形態】
次に、本発明の実施の形態を、図面に基づいて説明する。
【０００８】
図１は可動式間仕切壁の側面図、図２は同じく斜視図、図３は蝶番ガイドの平面図、図４は同じく側面図、図５は可動式間仕切壁に蝶番ガイドを固設した状態を表す斜視図、図６は三点回動式連結金具の平面図、図７は同じく側面図、図８は可動式間仕切壁を三点回動式連結金具で連結した状態を示す平面断面図、図９は同じく可動式間仕切壁を平行に配設した状態を表す平面断面図、図１０は同じく可動式間仕切壁を折りたたむようにして配設した状態を表す平面断面図、図１１は二枚の可動式間仕切壁が同じ高さに位置する際の三点回動式連結金具の側面図、図１２は一方の可動式間仕切壁を上昇させた際の三点回動式連結金具の側面図、図１３はゴムプレートの斜視図、図１４は蝶番ガイドをチャネルで構成した実施例を表す平面図、図１５は同じく側面図である。
【０００９】
また、図１６は三点回動式連結金具の他の実施例を表す側面図、図１７は同じく該金具を用いて連結した平面断面図、図１８は三点回動式連結金具の他の実施例を表す平面断面図、図１９は蝶番ガイドの他の実施例を表す側面図、図２０は係止ピンを表す略図、図２１は第二実施例の連結具の平面断面図、図２２は同じく側面図、図２３は同じく第二実施例の他の実施形態を表す平面断面図、図２４は第三実施例の連結具の平面断面図、図２５は同じく可動式間仕切壁を平行に配設した際の平面断面図、図２６は簡易に構成した連結具を表す図、図２７同じく簡易に構成した連結具の他の実施例を表す図、図２８は二枚の可動式間仕切壁を連結した実施例を表す図、図２９は複数の可動式間仕切壁を連結した実施例を表す図、図３０は同じく複数の可動式間仕切壁を連結して出隅を形成した実施例を表す図である。
【００１０】
まず、図１を用いて一体型可動式間仕切壁１の概要について説明する。図１に示すように、一体型可動式間仕切壁１は、二枚の壁体となる可動式間仕切壁６・７を連結具３０・３０によって連結することで構成されている。そして、該連結具３０・３０を取り外すことによって、二枚の可動式間仕切壁６・７は分割させることができるものとする。該可動式間仕切壁６・７は、グラスウール等の吸音材１１を、二枚の木製又は石膏ボード等の化粧板１０・１０で挟むようにして構成されている。該吸音材１１の端面には、溝型鋼３（図５に示す）が取り付けられ、二枚の化粧板１０・１０に内装される構成としている。上下中央部には、補強板８を横木として内装し、壁全体の強度を向上させている。そして、前記連結具３０・３０を取り付ける蝶番ガイド４０・４０・・・と、隣接する可動式間仕切壁６・７を水平に配列させるためのガイド具９・９・・・を、前記溝型鋼３の上部及び下部の二箇所に配設している。但し、この配置数は１以上として限定するものではない。
【００１１】
そして、該可動式間仕切壁６・７の上部には、押しバネ４・４により上下方向に可動とする幕板２が配設されている。一方、該可動式間仕切壁６・７の下部には、昇降装置２１・２３及び移動輪としてのキャスター２２・２２を内装した昇降部２０が配設されている。このように構成し、本実施例の可動式間仕切壁６・７は、キャスター２２・２２によって移動可能とし、さらに該昇降装置２１により昇降可能とすることで、上昇時に天井に対して前記幕板２を当接させることによって、天井と床面の間で突っ張らせることによって設置するものである。また、可動式間仕切壁７の右端面には、調整間柱１７及び伸縮装置１６を内装した横幅伸縮部１５が、取り外し可能に配設されている。
【００１２】
そして、図２に示されるように、以上のごとく構成された一体型可動式間仕切壁１は、二枚の可動式間仕切壁６・７を前記連結具３０（図示しない）を回動軸として、自由に開閉角度を設定して間仕切りを行うものである。また、間仕切を変更する際においても、「Ｖ」字に折り曲げることにより、自立させて移動させて行うものとする。
【００１３】
次に図３乃至図１２を用いて、連結具３０の第一実施例について説明する。まず、図３及び図４を用いて、蝶番ガイド４０について説明する。該蝶番ガイド４０の表面には、側面視において中央に上部から下部にかけて円柱状で外方向に開放された係止溝４１が形成されている。該係止溝４１の下部には、係止板４２が配設され、該係止板４２により、係止溝４１の下端を塞いで閉じた構成としている。さらに、該蝶番ガイド４０の表面には、ボルト挿嵌孔４３・４３が複数（本実施例で四箇所）穿設されている。該蝶番ガイド４０は、金属製としてもよいし、また合成樹脂等を素材として用いてもよい。また、該蝶番ガイド４０は上下方向の長さを後述する三点回動式連結金具３１よりも長く構成している。これは、前述の昇降装置２１によって、連結される可動式間仕切壁６・７の高さが異なった際には、一方の蝶番ガイド４０が三点回動式連結金具３１を押し上げることとなるため、三点回動式連結金具３１がもう一方（低い位置にある可動式間仕切壁）の蝶番ガイド４０の係止溝４１から外れないように、蝶番ガイド４０上での摺動の幅を大きくとるためである。
【００１４】
また、図５に示すごとく、吸音材１１・１１の横幅は、化粧板１０・１０よりも短く構成して、端部は平面視「コ」形の溝型鋼３で構成することにより、可動式間仕切壁６・７の端部は、該溝型鋼３を化粧板１０・１０で内装する構成としている。尚、該溝型鋼３は「コ」形に限ることなく、いわゆるＣチャンネル（リップ溝型鋼）でもよい。そして、該溝型鋼３の底面に、前記蝶番ガイド４０を固設させる。固設された状態では、該蝶番ガイド４０は、化粧板１０・１０の間に完全に内装される構成としている。
【００１５】
次に、図６及び図７を用いて、本発明に掲げる少なくとも一点の回動点を有する連結具について説明する。なお、本実施例においては、連結具に三点の回動点を構成したものを使用することとし、以下連結具を三点回動式連結金具３１とする。該三点回動式連結金具３１は、連結プレート３３・３３と、該連結プレート３３・３３の間に回動ピン３４・３４で回動自由に枢結した二枚の蝶番プレート３２・３２からなり、連結プレート３３は左右両側が同じ構成とされ、蝶番プレート３２は平面視クランク状に構成され、その外端部は、本体の厚みより直径を大きくした円柱状の係止部３５が形成され、内側端にはパイプ状の枢支部が形成されている。連結プレート３３・３３も同一部品として、平板の両側に回動ピン３４を挿入して枢支連結するためのパイプ部が形成されている。このように構成し、該三点回動式連結金具３１は、各回動ピン３４・３４・・・を回動軸として、連結プレート３３・３３・・・及び、蝶番プレート３２・３２を自由に回動することができる構造としている。該三点回動式連結金具３１は、金属製としてもよいし、また合成樹脂等を素材として用いてもよい。
【００１６】
以上のごとく構成された三点回動式連結金具３１を使用して間仕切壁とする実施例を図８乃至図１２を用いて説明する。図８に示すごとく、可動式間仕切壁６・７を近づけて位置させ、蝶番ガイド４０・４０の係止溝４１・４１に、三点回動式連結金具３１の係止部３５・３５を合わせるようにして、蝶番ガイド４０の上から三点回動式連結金具３１を挿入するのである。こうして、二枚の可動式間仕切壁６・７が回動自由に連結されるのである。図９に示す状態は、二枚の可動式間仕切壁６・７の対向した端部を突き合わせて、一直線状に連結した実施例である。このように、一直線状に連結した際は、三点回動式連結金具３１は二枚の可動式間仕切壁６・７の化粧板１０・１０・・・で形成される空間に内装されるのである。また、図１０に示す状態は、二枚の可動式間仕切壁６・７を折りたたむように背中合わせにして平行に配置した実施例である。このようにして、収納時や搬送時においては、折りたたむことでコンパクトにすることが可能である。
【００１７】
また、前述のごとく、本実施例の可動式間仕切壁６・７は天井と床面の間を突っ張らせて設置するため、可動式間仕切壁６・７の昇降作業の際には、必然的にお互いの蝶番ガイド４０・４０の高さが異なることになる。図１１は可動式間仕切壁６・７の蝶番ガイド４０・４０が、お互いに同じ高さである状態を表している。この状態から、図１２に示すように、可動式間仕切壁６が前記昇降装置２１によって上に移動した場合は、三点回動式連結金具３１は、蝶番ガイド４０に対して、摺動自由に挿嵌されているので、可動式間仕切壁６の蝶番ガイド４０の係止板４２に係止することで上に持ち上げられるのである。すなわち、該三点回動式連結金具３１は、可動式間仕切壁６・７を上下方向に個別に昇降可能とし、かつ回動自由に連結をしているのである。さらに、前述のごとく、該蝶番ガイド４０は上下方向の長さを三点回動式連結金具３１よりも長く構成しているので、該三点回動式連結金具３１が蝶番ガイド４０から外れてしまうことがないのである。
【００１８】
前記三点回動式連結金具３１と同じ機構をもつ実施例として、図１３に示すごとく、ゴム板６１の両端に円筒状の係止部６２・６２を配設してなるゴムプレート６０としてもよい。
【００１９】
さらに、前記蝶番ガイド４０と三点回動式連結金具３１の組み合わせの構成は、上記のものに限るものでない。たとえば、図１４及び図１５に示すごとく、平面視「コ」形のチャネル９０を一回り大きなチャネル９１に、チャネル９０外側面とチャネル９１の内側面の間に空間を持たせるように重ね、リベット９２・９２を両チャネル９０・９１の上部に貫通させて結合する。さらに、前記溝型鋼３に固設するための固設孔９３・９３が、両チャネル９０・９１の溝底部を貫通している。また、前記三点回動式連結金具３１の蝶番プレート３２・３２を、図１６に示すごとく、側面視Ｌ形のリベットガイド９４（蝶番プレート３２の下部から上部にかけて溝を形成している）を貫通させた蝶番プレート９５・９５として構成する。このようにして、図１７に示すごとく、リベット９２の位置に前記リベットガイド９４を合わせるようにして、蝶番プレート９５・９５を挿入することで連結するのである。また、図１６に示すごとく、回動ピン３４にバネ９６を配し、該バネ９６の両端によって隣接する連結プレート３３・３３の同一面を押さえるようにして、三点回動式連結金具３１が折れ曲がるように付勢させて、可動式間仕切壁６・７が該バネ９６によって引き合う（当接しやすくする）ようにさせることも出来る。
【００２０】
加えて、図１８に示すごとく、三点回動式連結金具３１の係止部３５を平面断面視において、リップ付溝型とし、蝶番ガイド４０には前記係止溝４１の代わりに、係止フランジ４１ａを突出させて、係止部３５を係止フランジ４１ａと係合させて連結させてもよい。
【００２１】
また、図１９に示すごとく、前記蝶番ガイド４０の係止溝４１を、上部に円形の挿入孔６３を配設した段付の係止溝４１とする。そして、図２０に示すごとく、ワイヤー６５にリング状の係止凹部６６を配した係止ピン６７を用いて、該係止ピン６７を前記挿入孔６３から挿入して、ワイヤー６５によって連結を行うようにしてもよい。
【００２２】
以上の説明は、連結を行う際の説明である。一方で、連結を解除する際には、蝶番ガイド４０等から三点回動式連結金具３１等の連結具を取り外すことにより可動式間仕切壁６・７の連結を解く構成としている。
【００２３】
次に図２１乃至図２２を用いて、連結具３０の第二実施例について説明する。本実施例においては、可動式間仕切壁６に内装される溝型鋼３の端面に挿入孔４６が穿設されており、該挿入孔４６にスプリング４７で付勢された枠型連結金具４５の基部が摺動自由に内装されている。一方、可動式間仕切壁７の端面には、先端をフック形状としたフック金具４４が配設されている。
【００２４】
以上のごとく構成し、可動式間仕切壁６・７を近傍に配設し、枠型連結金具４５を引き出して、フック金具４４に係止させることで、可動式間仕切壁６・７を連結するのである。
【００２５】
また、図２３に示すごとく、前記フック金具４４の基部の構成を、枠型連結金具４５と同様に、スプリング４７で付勢する構成にして、フック金具４４を摺動自由となるようにしてもよい。なお、フック金具４４のみスプリング４７で付勢する構成とすることもできる。
【００２６】
以上の説明は、連結を行う際の説明である。一方で、連結を解除する際には、前記と逆の操作をして枠型連結金具４５とフック金具４４の連結を解くことで、可動式間仕切壁６・７の連結を解く構成としている。
【００２７】
次に図２４及び図２５を用いて、連結具３０の第三実施例について説明する。図２４に示すごとく、化粧板１０・１０の間に挟まれるようにして、前記溝型鋼３の代わりに、溝型鋼３９が固設され、該溝型鋼３９の内周には、複数（本実施例では四点）の嵌合凹部２９・２９・・・が、対向する形で適宜配設されている。そして、該溝型鋼３９に、化粧板１０・１０の側面と平行に摺動する摺動ブロック３７・３７を、脱着可能に内装している。尚、該摺動ブロック３７・３７は、壁体の上下方向において、二箇所に適宜配設されるものとする。そして、該摺動ブロック３７・３７には、嵌合凸部２８・２８を両端に配設したスプリング３８が内装され、該嵌合凸部２８・２８は、化粧版１０・１０の側面と垂直方向に付勢されている。そして、該嵌合凸部２８・２８と前記嵌合凹部２９・２９とを嵌合させることにより、摺動ブロック３７・３７の係止位置が決定されるのである。すなわち、該摺動ブロック３７・３７はその先端部が、可動式間仕切壁６・７から突き出した状態に、又は完全に隠れた状態となるように、二通りの係止状態となる構成としている。そして、該摺動ブロック３７・３７に回動自在に取り付けられた連結板３６により、可動式間仕切壁６・７が回動自在に連結されている。
【００２８】
図２４の実線で示す、可動式間仕切壁６・７を直角方向に配置した状態においては、可動式間仕切壁６に内装する摺動ブロック３７を突き出した位置に係止させ、一方で可動式間仕切壁７に内装する摺動ブロック３７を可動式間仕切壁７の内部に隠す位置に係止させることで、二枚の可動式間仕切壁６・７を直角に連結している。また、図２５に示す状態は、二枚の可動式間仕切壁６・７を平行に連結した実施例である。このように、摺動ブロック３７・３７を可動式間仕切壁６・７の内部に隠す位置に係止させることで、二枚の可動式間仕切壁６・７が一面の壁を構成するように連結している。
【００２９】
以上の説明は、連結を行う際の説明である。一方で、連結を解除する際には、摺動ブロック３７を可動式間仕切壁６・７から引き抜いて取り外すことによって、可動式間仕切壁６・７の連結を解く構造としている。
【００３０】
さらに、簡易に構成することも出来る。たとえば、図２６及び図２７に示されるごとく、プレート状の枢支連結部４８・４９を、枢支軸５０・５０に対して上下摺動可能に回動自在に枢支し、該枢支連結部４８・４９に対し、同じく可動式間仕切壁６・７に配設された枢支軸５０・５０に回動自在に延出したプレート状のアーム５１・５１を、枢支軸５０・５０を介して連結することにより、可動式間仕切壁６・７をお互いが回動自在のまま連結するのである。本実施例では、枢支連結部４８を円盤状、枢支連結部４９を二枚の円盤を平行に連結した形状としているが、二本の枢支軸５０・５０に枢支することが出来る形状で、かつ可動式間仕切壁６・７が当接した際に、溝型鋼３で形成される空間に収まる形状であればよい。そして、枢支連結部４８・４９及びアーム５１・５１は、プレート状に構成することで、枢支軸５０・５０に対して上下摺動可能とし、可動式間仕切壁６・７の高さの変化に対応することが出来る構成となっている。また、図２７に示すごとく、アーム５１と枢支連結部４９の間に連結アーム５２を介することで、回動軸となる枢支軸５０を増やすことにより、可動式間仕切壁６・７の配置の自由度を広げてもよい。
【００３１】
以上の実施例で掲げた連結具３０を用いて構成された、一体型可動式間仕切壁１は、複数配列することにより、室内空間を複数の空間に分割する間仕切壁を構成するのである。また、単体として用いることにより、衝立として使用することも出来るのである。たとえば、図２８に示すように、一つの一体型可動式間仕切壁１により衝立を構成してもよいし、図２９に示すように、二つの一体型可動式間仕切壁１・１を連設することで、より幅の広い衝立もしくは間仕切壁を形成するのである。さらに、図３０に示すごとく、複数の一体型可動式間仕切壁１・１・・・を用いて出隅１２・１２を形成することもできるのである。なお、複数の一体型可動式間仕切壁１・１・・・を複数配設する際は、前記横幅伸縮部１５を取り外して、追加して連設される一体型可動式間仕切壁１を配設するものとする。
【００３２】
【発明の効果】
本発明は以上のごとく構成したので、次のような効果を奏するのである。
請求項１のごとく、室内空間を間仕切るための間仕切壁であって、下部に移動輪を配し、端面には係止溝を有する蝶番ガイドを配設した二枚の壁体を、該蝶番ガイドの係止溝に少なくとも一点の回動点を有する連結具を挿入することで連結し、該連結具により二枚の壁体を折れ曲がり自在に連結したので、連結される二枚の可動式間仕切壁６・７を回動自由に連結することが出来るのである。そして、可動式間仕切壁６・７を移動する際においては、連結具を付けたまま、「Ｖ」字形に折り曲げることで、可動式間仕切壁６・７が自立することが出来るので、転倒する心配をすることなく、移動させることが出来るのである。加えて、連結具をつけたまま折りたたむことが可能であり、収納時や搬送時においては、コンパクトにすることが可能である。
【００３３】
また、前記連結具を、前記蝶番ガイドに係止する一対の連結プレート３３・３３と、一対の蝶番プレート３２・３２をそれぞれ回動ピン３４・３４で連結して三点回動式連結金具３１としたので、連結される二枚の可動式間仕切壁６・７を回動自由に連結することが出来るのである。そして、可動式間仕切壁６・７を移動する際においては、三点回動式連結金具３１を付けたまま、「Ｖ」字形に折り曲げることで、可動式間仕切壁６・７が自立することが出来るので、転倒する心配をすることなく、移動させることが出来るのである。加えて、三点回動式連結金具３１をつけたまま折りたたむことが可能であり、収納時や搬送時においては、コンパクトにすることが可能である。
【００３４】
請求項２に記載のごとく、前記蝶番ガイド４０の係止溝４１の下端を塞ぎ、該蝶番ガイド４０の係止溝４１に対して、前記蝶番プレート３２・３２を上下に摺動可能に係止したので、該蝶番ガイド４０から三点回動式連結金具３１が滑り落ちることなく係止される。また、該三点回動式連結金具３１を蝶番ガイド４０に挿入させるので、三点回動式連結金具３１が蝶番ガイド４０に対して上下に摺動するため、前述のごとく、昇降装置により幕板を天井に付勢させる際には、三点回動式連結金具３１を取り外すことなく連結させたまま、連結した各々の可動式間仕切壁６・７を昇降させることが出来るのである。
さらに、該三点回動式連結金具３１は蝶番ガイド４０に対して固定する作業が必要ないため、可動式間仕切壁６・７の連結作業を簡単に行うことが出来るのである。
また、蝶番ガイド４０の上下方向の長さを後述する三点回動式連結金具３１よりも長く構成することで、前述の昇降装置２１によって、連結される可動式間仕切壁６・７の高さが異なった際には、一方の蝶番ガイド４０が三点回動式連結金具３１を押し上げることとなる。この際に、もう一方（低い位置にある可動式間仕切壁）の蝶番ガイド４０の係止溝４１から外れなくすることも可能である。
【図面の簡単な説明】
【図１】  可動式間仕切壁の側面図である。
【図２】  同じく斜視図である。
【図３】  蝶番ガイドの平面図である。
【図４】  同じく側面図である。
【図５】  可動式間仕切壁に蝶番ガイドを固設した状態を表す斜視図である。
【図６】  三点回動式連結金具の平面図である。
【図７】  同じく側面図である。
【図８】  可動式間仕切壁を三点回動式連結金具で連結した状態を示す平面断面図である。
【図９】  同じく可動式間仕切壁を平行に配設した状態を表す平面断面図である。
【図１０】  同じく可動式間仕切壁を折りたたむようにして配設した状態を表す平面断面図である。
【図１１】  二枚の可動式間仕切壁が同じ高さに位置する際の三点回動式連結金具の側面図である。
【図１２】  一方の可動式間仕切壁を上昇させた際の三点回動式連結金具の側面図である。
【図１３】  ゴムプレートの斜視図である。
【図１４】  蝶番ガイドをチャネルで構成した実施例を表す平面図である。
【図１５】  同じく側面図である。
【図１６】  三点回動式連結金具の他の実施例を表す側面図である。
【図１７】  同じく該金具を用いて連結した平面断面図である。
【図１８】  三点回動式連結金具の他の実施例を表す平面断面図である。
【図１９】  蝶番ガイドの他の実施例を表す側面図である。
【図２０】  係止ピンを表す略図である。
【図２１】  第二実施例の連結具の平面断面図である。
【図２２】  同じく側面図である。
【図２３】  同じく第二実施例の他の実施形態を表す平面断面図である。
【図２４】  第三実施例の連結具の平面断面図である。
【図２５】  同じく可動式間仕切壁を平行に配設した際の平面断面図である。
【図２６】  簡易に構成した連結具を表す図である。
【図２７】  同じく簡易に構成した連結具の他の実施例を表す図である。
【図２８】  二枚の可動式間仕切壁を連結した実施例を表す図である。
【図２９】  複数の可動式間仕切壁を連結した実施例を表す図である。
【図３０】同じく複数の可動式間仕切壁を連結して出隅を形成した実施例を表す図である。
【符号の説明】
１  一体型可動式間仕切壁
６  可動式間仕切壁
７  可動式間仕切壁
３１  三点回動式連結金具
３２  蝶番プレート
３３  連結プレート
３４  回動ピン
４０  蝶番ガイド
４１  係止溝
４２  係止板
【図１】
0003872938.tif 000002
【図２】
0003872938.tif 000003
【図３】
0003872938.tif 000004
【図４】
0003872938.tif 000005
【図５】
0003872938.tif 000006
【図６】
0003872938.tif 000007
【図７】
0003872938.tif 000008
【図８】
0003872938.tif 000009
【図９】
0003872938.tif 000010
【図１０】
0003872938.tif 000011
【図１１】
0003872938.tif 000012
【図１２】
0003872938.tif 000013
【図１３】
0003872938.tif 000014
【図１４】
0003872938.tif 000015
【図１５】
0003872938.tif 000016
【図１６】
0003872938.tif 000017
【図１７】
0003872938.tif 000018
【図１８】
0003872938.tif 000019
【図１９】
0003872938.tif 000020
【図２０】
0003872938.tif 000021
【図２１】
0003872938.tif 000022
【図２２】
0003872938.tif 000023
【図２３】
0003872938.tif 000024
【図２４】
0003872938.tif 000025
【図２５】
0003872938.tif 000026
【図２６】
0003872938.tif 000027
【図２７】
0003872938.tif 000028
【図２８】
0003872938.tif 000029
【図２９】
0003872938.tif 000030
【図３０】
0003872938.tif 000031